(57)【要約】      （修正有）【課題】警報ステータスを通知する方法を提供する。【解決手段】方法は、警報ステータス情報を示すために、少なくとも２つのバイナリ警報ステータス指示フィールドを使用することと、警報情報が変更された場合に、警報ステータス指示フィールドの値を変更することと、警報ステータス情報を定期的に送信することとを含む。緊急警報のステータスが検出されるように、ビーコンフレームのインターワーキング要素内の警報ステータス指示フィールドが拡張され、緊急警報ステータスの変更は、拡張された警報ステータス指示フィールドの値によって反映され、緊急警報の変更は適時に検出および対処されることが可能である。【選択図】図３
2010118043.tif 000002
【特許請求の範囲】
【請求項１】
警報ステータスを通知する方法であって、
警報ステータス情報を示すために、少なくとも２つのバイナリ警報ステータス指示フィールドを使用することと、
警報情報が変更された場合に、前記警報ステータス指示フィールドの値を変更することと、
前記警報ステータス情報を定期的に送信することとを含む、方法。
【請求項２】
前記警報ステータスは、
警報が存在していること、または、警報が存在していないことを含む、請求項１に記載の、警報ステータスを通知する方法。
【請求項３】
前記警報ステータスが警報なしを示す場合、前記警報ステータス指示フィールドは、第１の値を使用し、前記警報ステータスが前記警報を示す場合、前記警報ステータス指示フィールドは、前記第１の値以外の値を使用することによって、前記２つのバイナリ警報ステータス指示フィールドは警報ステータス情報を示す、請求項２に記載の、警報ステータスを通知する方法。
【請求項４】
前記警報ステータスが前記警報を示す場合に、前記警報情報の前記変更があり次第、前記警報ステータス指示フィールドの前記値を変更することをさらに含む、請求項３に記載の、警報ステータスを通知する方法。
【請求項５】
前記警報ステータス指示フィールドは、
警報なしを示す、少なくとも１つのバイナリビットと、
前記警報情報の前記変更を示す、少なくとも１つのバイナリビットとを含む、請求項１に記載の、警報ステータスを通知する方法。
【請求項６】
前記警報が存在するかどうかを示す、前記少なくとも１つのバイナリビットは、
前記警報が存在する場合に、前記警報が存在するかどうかを示すように適合された前記バイナリビットのための、第２の値を使用することと、
警報が存在しない場合に、前記警報が存在するかどうかを示すように適合された前記バイナリビットのための、第３の値を使用することとを含む、請求項５に記載の、警報ステータスを通知する方法。
【請求項７】
前記警報情報の前記変更を示す、前記少なくとも１つのバイナリビットは、
警報が存在する場合に、前記警報情報の前記変更があり次第、前記警報情報の前記変更を示すように適合された前記バイナリビットの値を変更することを含み、
警報が存在しない場合、前記警報情報の前記変更を示すように適合された前記バイナリビットは存在しない、請求項５に記載の、警報ステータスを通知する方法。
【請求項８】
前記警報ステータス指示フィールド内に含まれている前記バイナリビットは、隣接していない、請求項６に記載の、警報ステータスを通知する方法。
【請求項９】
警報情報が変更された場合に、警報ステータスを通知するメッセージ内の、少なくとも２つのバイナリビットを含む警報ステータス指示フィールドを設定するように適合された、処理ユニットと、
前記処理ユニットによって設定された、警報ステータスを通知する前記メッセージを、定期的に送信するように適合された、送信ユニットとを含む、アクセスポイント装置（ａｃｃｅｓｓ  ｐｏｉｎｔ  ｄｅｖｉｃｅ）。
【請求項１０】
前記警報ステータス指示フィールドは、
警報が存在するかどうかを示す、少なくとも１つのバイナリビットと、
前記警報の変更を示す、少なくとも１つのバイナリビットとを含む、請求項１０に記載のアクセスポイント装置。
【請求項１１】
前記処理ユニットは、
前記警報情報が変更されたかどうか、または／かつ、前記警報情報が変更された後で警報が存在するかどうか、を判定するように適合された、第１の判定ユニットと、
前記第１の判定ユニットの判定結果に基づいて、警報が存在しない場合に、前記警報ステータス指示フィールドを、第１の値に設定し、警報が存在する場合に、前記警報ステータス指示フィールドを、前記第１の値以外の値に設定することによって、前記警報ステータス指示フィールドの値を設定するように適合された、第１の設定ユニットとを具備する、請求項１０に記載のアクセスポイント装置。
【請求項１２】
警報が存在する場合に、前記警報ステータス指示フィールドを、前記第１の値以外の値に前記設定することは、
新たな警報が発生した場合、警報が解除された場合、または前記警報の内容が更新された場合に、前記警報ステータス指示フィールドの前記値を、前記第１の値以外の値に変更することを含む、請求項１１に記載のアクセスポイント装置。
【請求項１３】
前記処理ユニットは、
警報が存在するかどうかを判定するように適合された、第２の判定ユニットと、
警報が存在しない場合に、前記警報ステータス指示フィールド内の、警報が存在するかどうかを示す前記バイナリビットまたはビットグループを、第２の値に設定し、警報が存在する場合に、前記警報ステータス指示フィールド内の、警報が存在するかどうかを示す前記バイナリビットまたはビットグループを、第３の値に設定するように適合された、第２の設定ユニットと、
前記警報情報が変更されたかどうかを判定するように適合された、第３の判定ユニットと、
前記警報情報が変更された場合に、前記第３の判定ユニットの判定結果に基づいて、前記警報情報の前記変更を示す前記バイナリビットまたはビットグループの値を変更するように適合された、第３の設定ユニットとを具備する、請求項１０に記載のアクセスポイント装置。
【請求項１４】
警報ステータスを通知するメッセージ内の、少なくとも２つのバイナリビットを含む警報ステータス指示フィールドの値を設定し、前記設定された、警報ステータスを通知するメッセージを送信するように適合された、アクセスポイント装置と、
前記アクセスポイント装置から、警報ステータスを通知する前記メッセージを受信し、そして、警報ステータスを通知する前記メッセージ内の、前記警報ステータス指示フィールドの前記値を取得し、前記値に従って、警報情報を取得するように適合された、非アクセスポイント装置とを含む、ネットワークシステム。
【発明の詳細な説明】
【技術分野】
【０００１】
本出願は、２００８年１１月７日出願の中国特許出願第ＣＮ２００８１０１７５３６６．７号、および２００８年９月４日出願の中国特許出願第ＣＮ２００８１０２１５６１２．７号の利益を主張するものである。上記出願の開示は、参照により本明細書中に援用される。
【０００２】
本発明は、電気通信分野に関し、特に、警報ステータスを通知する方法、装置、およびネットワークシステムに関する。
【背景技術】
【０００３】
現在、米国電気電子技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）（ＩＥＥＥ）８０２．１１ｕ標準規格グループは、無線ローカルエリアネットワーク（Ｗｉｒｅｌｅｓｓ  Ｌｏｃａｌ  Ａｒｅａ  Ｎｅｔｗｏｒｋ）（ＷＬＡＮ）と外部ネットワーク（Ｅｘｔｅｒｎａｌ  Ｎｅｔｗｏｒｋｓ）との間のインターワーキングの機能を主として検討している。ＷＬＡＮと外部ネットワークとの間のインターワーキングの目的は、端末による、ネットワークの選択と、サービス品質（Ｑｕａｌｉｔｙ  ｏｆ  Ｓｅｒｖｉｃｅ）（ＱＯＳ）のマッピングと、緊急警報システム（Ｅｍｅｒｇｅｎｃｙ  Ａｌｅｒｔ  Ｓｙｓｔｅｍ）（ＥＡＳ）のサポートとを助けるための情報を、外部ネットワークから取得することである。
【０００４】
緊急警報サービスは、ユーザが警報情報を取得することを可能にするために、緊急警報イベントの通知をユーザに提供する。８０２．１１ｕにおける外部システムとのインターワーキングは、ＥＡＳのサポートを含む。このサービスは、ジェネリック・アドバーティスメント・サービス（Ｇｅｎｅｒｉｃ  Ａｄｖｅｒｔｉｓｅｍｅｎｔ  Ｓｅｒｖｉｃｅｓ）（ＧＡＳ）プロトコルを使用することによって、ＡＰ  ＳＴＡから非ＡＰ  ＳＴＡに、緊急警報情報を伝送することを含む。ＡＰ  ＳＴＡは、緊急警報が存在するかどうかを示すために、非ＡＰ  ＳＴＡに、１ビットのＥＡＳ通知指示フィールド（ＥＡＳ  ｎｏｔｉｆｉｃａｔｉｏｎ  ｉｎｄｉｃａｔｉｏｎ  ｆｉｅｌｄ）（すなわち、ＥＡＳＮフィールド）を含むビーコンフレームを送信する。８０２．１１ｕインフラストラクチャネットワーク上のＡＰ  ＳＴＡが、外部ネットワークから緊急警報情報を受信した場合、ＡＰ  ＳＴＡは、ビーコンフレーム内のインターワーキング要素（ｉｎｔｅｒｗｏｒｋｉｎｇ  ｅｌｅｍｅｎｔ）のＥＡＳＮフィールドを１に設定して、非ＡＰ  ＳＴＡに緊急警報を知らせる。非ＡＰ  ＳＴＡが、ＡＰ  ＳＴＡからビーコンフレームを受信して、緊急警報が存在することを見出した場合、非ＡＰ  ＳＴＡは、ＧＡＳプロトコルを使用することによって、ＡＰ  ＳＴＡから、緊急警報情報を取得し、そして、その情報をユーザに知らせる。
【０００５】
図１は、既存の技術を使用することによる、ＥＡＳのための、ＡＰ  ＳＴＡの処理フローチャートを示す。フローチャートは、以下を含む。
【０００６】
ステップ１０１：電源投入後の初期化中に、ＡＰ  ＳＴＡは、ビーコンフレーム内のＥＡＳＮフィールドの値を０に設定する。
【０００７】
既存の技術では、ＥＡＳＮフィールド内の１つのバイナリビットが設定される。このビットは、警報ステータス指示フィールド（ａｌｅｒｔ  ｓｔａｔｕｓ  ｉｎｄｉｃａｔｉｏｎ  ｆｉｅｌｄ）として働く。値１は、緊急警報が存在することを示す。値０は、緊急警報が存在しないことを示す。
【０００８】
ステップ１０２：緊急警報情報が受信されたかどうかに関する判定が行われる。緊急警報情報が受信された場合、プロセスはステップ１０３に進む。受信されていない場合、プロセスはステップ１０２に戻る。
【０００９】
ステップ１０３：緊急警報が発生したかどうかに関する判定が行われる。緊急警報が発生した場合、プロセスはステップ１０４に進む。そうではない場合、プロセスはステップ１０８に進む。
【００１０】
ステップ１０４：緊急警報に関する情報が保存される。
【００１１】
ステップ１０５：ビーコンフレーム内のＥＡＳＮフィールドが０に設定されているかどうかに関する判定が行われる。０に設定されている場合、プロセスはステップ１０６に進む。０に設定されていない場合、プロセスはステップ１０７に進む。
【００１２】
ステップ１０６：ビーコンフレーム内のＥＡＳＮフィールドは１に設定されて、緊急警報が存在することを示す。処理はステップ１１１に進む。
【００１３】
ステップ１０７：ビーコンフレーム内のＥＡＳＮフィールドの値は変更されない。プロセスはステップ１１１に進む。
【００１４】
ステップ１０８：緊急警報が解除されたかどうかに関する判定が行われる。緊急警報が存在する場合、プロセスはステップ１０９に進む。そうではない場合、プロセスはステップ１１０に進む。
【００１５】
ステップ１０９：ビーコンフレーム内のＥＡＳＮフィールドは０に設定されて、緊急警報が存在しないことを示す。プロセスはステップ１１１に進む。
【００１６】
ステップ１１０：ビーコンフレーム内のＥＡＳＮフィールドの値は変更されない。プロセスはステップ１１１に進む。
【００１７】
ステップ１１１：ビーコンフレームは、非ＡＰ  ＳＴＡに送信される。
【００１８】
図２は、既存の技術を使用することによる、ＥＡＳのための、非ＡＰ  ＳＴＡのフローチャートである。フローチャートは以下を含む。
【００１９】
ステップ２０１：電源投入後に、非ＡＰ  ＳＴＡは、ビーコンフレーム内のＥＡＳＮフィールドの値を０に設定する。
【００２０】
ステップ２０２：ＥＡＳＮフィールドの値を取得するために、ＡＰ  ＳＴＡから、ビーコンフレームが受信される。
【００２１】
ステップ２０３：ＥＡＳＮフィールドの値が１であるかどうかに関する判定が行われる。１である場合、プロセスはステップ２０４に進む。１ではない場合、プロセスはステップ２０２に進む。
【００２２】
ステップ２０４：非ＡＰ  ＳＴＡは、ＥＡＳＮフィールドの値が１であることを見出し、この値は、緊急警報が存在することを示す。非ＡＰ  ＳＴＡは、ＧＡＳプロトコルを使用することによって、ＡＰ  ＳＴＡから、緊急警報情報を取得する。
【００２３】
ステップ２０５：非ＡＰ  ＳＴＡは、ユーザに、現在の緊急警報情報を表示する。
【発明の概要】
【発明が解決しようとする課題】
【００２４】
既存の技術の調査および実施の間に、以下の問題が明らかとなった。
既存の技術では、ＥＡＳＮフィールド内の１つのバイナリビットが、緊急警報が存在するかどうかを示すように適合される。同じ緊急警報の内容が更新された場合、または、異なる緊急警報が連続して発生した場合、ＡＰ  ＳＴＡは、非ＡＰ  ＳＴＡが適時の処理を実行するように、非ＡＰ  ＳＴＡに、それらの変更を適時に通知することができない。非ＡＰ  ＳＴＡが、連続的に変化する緊急警報情報を取得する必要がある場合、非ＡＰ  ＳＴＡは、ＡＰ  ＳＴＡから、緊急警報情報を定期的に取得しなければならない。したがって、システム効率は多大な影響を受ける。
【００２５】
したがって、既存の技術を使用することによる、ＥＡＳのための方法は、緊急警報の変更に、適時に、かつ効率的に対処するのを助けることはできない。
【課題を解決するための手段】
【００２６】
本発明の実施形態では、緊急警報の変更を適時に通知するのを助けるための、警報ステータスを通知する方法と、ネットワークシステムとが提供される。
【００２７】
本発明の一実施形態において、技術方式が提供される。
【００２８】
本発明の一実施形態では、警報ステータス情報を示すために、少なくとも２つのバイナリビットを含む警報ステータス指示フィールドを使用することと、警報情報が変更された場合に、警報ステータス指示フィールドの値を変更すること、および警報ステータス情報を定期的に送信することとを含む、警報ステータスを通知する方法が提供される。
【００２９】
本発明の一実施形態では、
警報情報が変更された場合に、警報ステータスを通知するメッセージ内の、少なくとも２つのバイナリビットを含む警報ステータス指示フィールドを設定するように適合された、処理ユニット（ｐｒｏｃｅｓｓｉｎｇ  ｕｎｉｔ）と、処理ユニットによって設定された、警報ステータスを通知するメッセージを、定期的に送信するように適合された、送信ユニット（ｓｅｎｄｉｎｇ  ｕｎｉｔ）とを含む、ＡＰ  ＳＴＡが提供される。
【００３０】
本発明の一実施形態では、
警報ステータスを通知するメッセージ内の、少なくとも２つのバイナリビットを含む警報ステータス指示フィールドの値を設定し、設定された、警報ステータスを通知するメッセージを送信するように適合された、ＡＰ  ＳＴＡと、
ＡＰ  ＳＴＡから、警報ステータスを通知するメッセージを受信し、警報ステータスを通知するメッセージ内の、警報ステータス指示フィールドの値を取得し、その値に従って、警報情報を取得するように適合された、非ＡＰ  ＳＴＡとを含む、ネットワークシステムが提供される。
【発明の効果】
【００３１】
本発明の技術方式においては、緊急警報のステータスが検出されるように、ビーコンフレームのインターワーキング要素内の警報ステータス指示フィールドが拡張され、そして、緊急警報ステータスの変更は、拡張された警報ステータス指示フィールドの値によって反映され、そして、緊急警報の変更は適時に検出および対処されることが可能であるということが、先の記述から導き出され得る。
【図面の簡単な説明】
【００３２】
【図１】既存の技術を使用することによる、ＥＡＳのための、ＡＰ  ＳＴＡのフローチャートである。
【図２】既存の技術を使用することによる、ＥＡＳのための、非ＡＰ  ＳＴＡのフローチャートである。
【図３】本発明の一実施形態における、警報サービス処理の方法のフローチャートである。
【図４】本発明の一実施形態における、ビーコンフレームのインターワーキング要素のフォーマットを示す。
【図５】本発明の一実施形態で提供される方法を使用することによる、ＥＡＳのための、ＡＰ  ＳＴＡのフローチャートである。
【図６】本発明の一実施形態で提供される方法を使用することによる、ＥＡＳのための、非ＡＰ  ＳＴＡのフローチャートである。
【図７】本発明の一実施形態におけるＡＰ  ＳＴＡの構成を示す。
【図８】本発明の一実施形態における非ＡＰ  ＳＴＡの構成を示す。
【図９】本発明の一実施形態におけるネットワークシステムの構成を示す。
【図１０】本発明の一実施形態における、ビーコンフレームのインターワーキング要素のフォーマットを示す。
【図１１】本発明の一実施形態におけるＡＰ  ＳＴＡの構成を示す。
【図１２】本発明の一実施形態における、ビーコンフレームのインターワーキング要素のフォーマットを示す。
【発明を実施するための形態】
【００３３】
本発明の一実施形態では、緊急警報の変更を適時に通知するための、警報ステータスを通知する方法が提供される。
【００３４】
本実施形態における方法は、ビーコンフレームのインターワーキング要素内の警報ステータス指示フィールドを拡張することによって、緊急警報の変更に適時に対処するのを助ける。
【００３５】
本実施形態の技術方式について、以下の記述の中で説明する。
【００３６】
図３は、本発明の一実施形態における、警報ステータスを通知する方法のフローチャートである。フローチャートは、以下を含む。
【００３７】
ステップ３０１：緊急警報ステータスの変更に従って、ビーコンフレームのインターワーキング要素内の警報ステータス指示フィールドの値が設定される。警報ステータス指示フィールドは、少なくとも２つのバイナリビットを含む。
【００３８】
本実施形態における方法では、インターワーキング要素内のＥＡＳＮフィールドが拡張される。少なくとも２つのバイナリビットが、警報ステータス指示フィールドとして適合される。この場合、緊急警報の発生、更新、および解除などの、緊急警報ステータスの変更は、さまざまな値によって反映されてもよい。値の変更方法は、必要に応じて定められてもよい。
【００３９】
ステップ３０２：設定されたビーコンフレームが送信される。
【００４０】
ビーコンフレームのＥＡＳＮフィールド内の警報ステータス指示フィールドが設定された後で、緊急警報のステータスが識別され、そして次に、設定されたビーコンフレームが送信される。
【００４１】
ビーコンフレームを受信する装置は、ビーコンフレーム内の警報ステータス指示フィールドの値に従って、警報が変更されたかどうかを見出すことができ、そして、警報ステータスに変更があり次第、新たな警報情報を取得することができ、そして、ユーザにその情報を知らせることができる。
【００４２】
拡張されたインターワーキング要素のＥＡＳＮフィールド内の警報ステータス指示フィールドの値は、緊急警報の変更を適時に反映するように適合される。
【００４３】
本発明の一実施形態における方法を、以下で詳細に説明する。
【００４４】
ＡＰ  ＳＴＡが、緊急警報を検出し、受信端に通知する必要がある場合、ＡＰ  ＳＴＡは、ＡＰ  ＳＴＡのカバレージ内に配置されている非ＡＰ  ＳＴＡに通知するために、ビーコンフレームのＥＡＳＮフィールド内の特定のビット（少なくとも２つのビット）の値を設定する。この場合、非ＡＰ−ＳＴＡは、新たな、または変更された緊急警報情報を、適時に、かつ能動的に取得することが可能である。
【００４５】
ＡＰ  ＳＴＡは、緊急警報の存在と、緊急警報ステータスの変更とを識別するために、拡張されたビーコンフレームのＥＡＳＮフィールド内の警報ステータス指示フィールドの値を使用し、そして、適合されたバイナリビットおよびポリシーに従って、処理を実行する。
【００４６】
図４は、本発明の一実施形態における、ビーコンフレームのインターワーキング要素のフォーマットを示す。
【００４７】
インターワーキング要素は、以下のフィールドを含む。要素ＩＤ（Ｅｌｅｍｅｎｔ  ＩＤ）、長さ（Ｌｅｎｇｔｈ）、ネットワークタイプ（Ｎｅｔｗｏｒｋ  Ｔｙｐｅ）、インターネット（Ｉｎｔｅｒｎｅｔ）、ＮＡＳＲ、ＥＡＳＮ、ベニューグループ（Ｖｅｎｕｅ  Ｇｒｏｕｐ）、ベニュータイプ（Ｖｅｎｕｅ  Ｔｙｐｅ）、およびＨＥＳＳ  ＩＤ（省略可能）。ＥＡＳＮフィールドは、２つのバイナリビット、すなわち、ｂ６およびｂ７を含む。
【００４８】
既存の技術では、インターワーキング要素内のＥＡＳＮフィールドは、１ビット（すなわち、ｂ６）に設定されており、ｂ７は予約されている。本発明の実施形態では、ＥＡＳＮフィールドは２ビットに拡張される。すなわち、ｂ６およびｂ７の両方が適合される。緊急警報の発生、更新、および解除などの、ステータス変更情報は、２つのビットの値の変更によって反映される。値の意味は、必要に応じて定められてもよい。ここで、いくつかの例を以下に提供する。
【００４９】
緊急警報が存在しない場合、ＡＰ  ＳＴＡは、ＥＡＳＮフィールドの両方のビットを０に設定する。すなわち、ＥＡＳＮフィールドの値は００に設定される。
【００５０】
緊急警報が発生した場合、緊急警報の発生を示すビットの値が設定される。例えば、ＥＡＳＮフィールドの１つのビットが０に設定される。そのビットがｂ７である場合、ＥＡＳＮフィールドの値は０１である。そのビットがｂ６である場合、ＥＡＳＮフィールドの値は１０である。
【００５１】
同じ緊急警報の内容が更新された場合、または異なる緊急警報が連続して発生した場合、更新ステータスを示すビットの値が設定される。例えば、ＡＰ  ＳＴＡは、ＥＡＳＮフィールドの他方のビットを１に設定し、１に設定されていたビットを０に設定する。緊急警報の発生時に、ＥＡＳＮフィールドの値は０１に設定されていたと仮定すると、ＥＡＳＮフィールドの値は１０に設定される。
【００５２】
緊急警報情報が再度更新された場合、または異なる緊急警報が連続して発生した場合、ＡＰ  ＳＴＡは、ＥＡＳＮフィールドの他方のビットを１に設定し、１に設定されていたビットを０に設定する。ＥＡＳＮフィールドの値は１０であると仮定すると、この時、値は再度０１に変更される。後続の、緊急警報情報の更新、または異なる緊急警報の連続した発生についても、同じことが当てはまる。
【００５３】
特定の緊急警報が解除され、しかし、その他の警報は存続する場合、ＥＡＳＮフィールドのビットは、例えば０１から１０に、反転される。特定の緊急警報が解除され、その他の警報は存在しない場合、ＥＡＳＮフィールドの値は００に設定される。
【００５４】
先のプロセスにおいて、ＥＡＳＮフィールドの値１１は、将来の拡張のために予約されている。値１１が予約されない場合、値００は、警報が存在しないことを示すように適合されてもよく、そして、３つの値０１、１０、および１１は、新たな警報と、警報の解除と、特定の警報の内容の更新とを示すように適合されてもよい。
【００５５】
以下の記述では、警報情報の変更についての、ＡＰ  ＳＴＡによる処理プロセスが、本発明の一実施形態における、拡張されたＥＡＳＮフィールドに基づいて、ＡＰ  ＳＴＡによって警報ステータスを通知する方法を説明するための例として採用される。
【００５６】
図５は、本発明の一実施形態における、警報ステータスを通知する方法のフローチャートである。フローチャートは以下を含む。
【００５７】
ステップ５０１：電源投入後の初期化中に、ＡＰ  ＳＴＡは、ビーコンフレーム内のＥＡＳＮフィールドの値を００に設定する。
【００５８】
ステップ５０２：緊急警報通知が受信されたかどうかに関する判定が行われる。緊急警報通知が受信された場合、プロセスはステップ５０３に進む。受信されていない場合、プロセスはステップ５０２に戻る。
【００５９】
ステップ５０３：緊急警報が発生したかどうかに関する判定が行われる。緊急警報が発生した場合、プロセスはステップ５０４に進む。そうではない場合、プロセスはステップ５１０に進む。
【００６０】
ステップ５０４：緊急警報に関する情報が保存される。
【００６１】
ステップ５０５：受信した緊急警報情報の内容が、前回受信した緊急警報情報の内容と一致しているかどうかに関する判定が行われる。一致している場合、プロセスはステップ５０９に進む。一致していない場合、プロセスはステップ５０６に進む。
【００６２】
ステップ５０６：ビーコンフレーム内のＥＡＳＮフィールドが００に設定されているかどうかに関する判定が行われる。００に設定されていない場合、プロセスはステップ５０７に進む。００に設定されている場合、プロセスはステップ５０８に進む。
【００６３】
受信した緊急警報情報の内容が、前回受信した緊急警報情報の内容と一致していない場合、それは、緊急警報情報が更新されたことを示している。すなわち、緊急警報情報は更新状態にある。現在のビーコンフレーム内のＥＡＳＮフィールドが００に設定されているかどうかに関する判定が行われる。
【００６４】
ステップ５０７：ビーコンフレーム内のＥＡＳＮフィールドのビットの値が反転される。プロセスはステップ５０６に戻る。
【００６５】
ステップ５０８：ビーコンフレーム内のＥＡＳＮフィールドの２つのビットのうちの１つの値が、１に設定される。プロセスはステップ５１６に進む。
【００６６】
ステップ５０９：ビーコンフレーム内のＥＡＳＮフィールドの値は変更されない。プロセスはステップ５１６に進む。
【００６７】
ステップ５１０：緊急警報が解除されたかどうかに関する判定が行われる。解除された場合、プロセスはステップ５１１に進む。そうではない場合、プロセスはステップ５１２に進む。
【００６８】
ステップ５１１：緊急警報解除メッセージ内の情報に従って、関連する緊急警報が解除される。プロセスはステップ５１３に進む。
【００６９】
ステップ５１２：ビーコンフレーム内のＥＡＳＮフィールドの値は変更されない。プロセスはステップ５１６に進む。
【００７０】
ステップ５１３：アクティブな緊急警報が存在するかどうかに関する判定が行われる。存在する場合、プロセスはステップ５１５に進む。存在しない場合、プロセスはステップ５１４に進む。
【００７１】
ステップ５１４：ビーコンフレーム内のＥＡＳＮフィールドの値は００に設定される。これは、緊急警報は現在のところ存在しないということを示す。プロセスはステップ５１６に進む。
【００７２】
ステップ５１５：現在のビーコンフレーム内のＥＡＳＮフィールドのビットの値が反転される。これは、現在の緊急警報の内容が更新されたことを示す。プロセスはステップ５１６に進む。
【００７３】
インターワーキング要素のＥＡＳＮフィールド内の拡張された警報ステータス指示フィールドによって、ＡＰ  ＳＴＡは、検出された緊急警報のステータスに従って、警報ステータス指示フィールドの値を設定することができ、そして、緊急警報のステータスの変更を非ＡＰ  ＳＴＡに適時に通知することができ、そして、非ＡＰ  ＳＴＡがＡＰ  ＳＴＡに定期的に問い合わせるため負荷が増加するという状況を回避することができる。
【００７４】
先の説明は、ＡＰ  ＳＴＡのみを含む。非ＡＰ−ＳＴＡについては、ＥＡＳＮの値が００であるかどうかを調べることによって、緊急警報が現在のところ存在するかどうかに関する判定が行われ、そして、１に設定されたビットの値の変更を調べることによって、現在の緊急警報に関する情報が更新されたかどうかに関する判定が行われ、その結果、非ＡＰ  ＳＴＡは、緊急警報情報が更新された場合に、更新された緊急警報情報を取得する。
【００７５】
図６は、既存の技術を使用することによる、ＥＡＳのための、非ＡＰ  ＳＴＡのフローチャートである。フローチャートは以下を含む。
【００７６】
ステップ６０１：電源投入後に、非ＡＰ  ＳＴＡは、ビーコンフレーム内のＥＡＳＮフィールドの値を００に設定する。
【００７７】
ステップ６０２：ＥＡＳＮフィールドの値を取得および記録するために、ＡＰから、ビーコンフレームが受信される。
【００７８】
ステップ６０３：ＥＡＳＮフィールドの値が００であるかどうかに関する判定が行われる。００である場合、プロセスはステップ６０７に進む。００ではない場合、プロセスはステップ６０４に進む。
【００７９】
ステップ６０４：ＥＡＳＮフィールドの現在の値が、前回の値と同じであるかどうかに関する判定が行われる。同じである場合、プロセスはステップ６０５に進む。同じではない場合、プロセスはステップ６０２に戻る。
【００８０】
ステップ６０５：ＥＡＳＮフィールドの現在の値が、前回の値と同じではない場合、それは、緊急警報情報が更新されたことを示している。非ＡＰ  ＳＴＡは、ＧＡＳプロトコルを使用することによって、ＡＰ  ＳＴＡから緊急警報情報を取得する。
【００８１】
ステップ６０６：非ＡＰ  ＳＴＡは、ユーザに、現在の緊急警報情報を表示する。
【００８２】
ステップ６０７：ＥＡＳＮフィールドの現在の値が、前回の値と同じであるかどうかに関する判定が行われる。同じである場合、プロセスはステップ６０８に進む。同じではない場合、プロセスはステップ６０２に戻る。
【００８３】
ステップ６０８：非ＡＰ  ＳＴＡは、ユーザに、緊急警報が解除されたことを知らせる。
【００８４】
先の説明において、インターワーキング要素のＥＡＳＮフィールド内の拡張された警報ステータス指示フィールドによって、非ＡＰ  ＳＴＡは、ＡＰ  ＳＴＡから送信されたビーコンフレーム内の警報ステータス指示フィールドの値を受信し、そして、警報ステータス指示フィールドの値に従って、緊急警報ステータスの変更を適時に認識し、したがって、適時の処理が容易になり、かつ、非ＡＰ  ＳＴＡがＡＰ  ＳＴＡに定期的に問い合わせるため負荷が増加するという状況が回避される。
【００８５】
上記は、ＥＡＳＮフィールドのための２つのバイナリビットを設定する例である。本発明は、これらの例に限定されず、ＥＡＳＮフィールドのための複数のバイナリビットを設定することも含む。（８つのバイナリビットの）１バイトが、ベニューグループのプレフィックスとして、またはＨＥＳＳ  ＩＤのサフィックスとして、挿入されてもよい。このバイトのいくつかのバイナリビットと、現在のＥＡＳＮビットとが、警報ステータス指示フィールドとして働いてもよい。より多くのバイナリビットが適合される場合、より多くの値が、警報ステータスのより多くの変更を反映するために使用可能であり、したがって、受信端が、断続的な変更の間に値を捕え損ない、そして、警報ステータスのわずか数回の変更の後で警報ステータス指示フィールドの値が元の値に戻るという理由で、警報の変更を検出することができない、という状況が回避される。
【００８６】
さらに、警報ステータス指示フィールドの少なくとも１つのバイナリビットは、警報が現在のところ存在するかどうかを示すように適合されてもよい。残りの少なくとも１つのバイナリビットの値の変更は、警報が存在する場合の、警報情報の変更を示すように適合されてもよい。例えば、警報ステータス指示フィールドの第１のバイナリビット（図１０のｂ６）は、警報が現在のところ存在するかどうかを示すように適合されてもよい。このビットの値が０に設定されている場合、それは、警報が現在のところ存在しないということを示す。このビットの値が１に設定されている場合、それは、警報が現在のところ存在するということを示す。警報が存在する場合、新たなバイトの少なくとも１つのバイナリビットは、緊急警報が発生したかどうか、または、先の緊急警報に関する情報が更新されたかどうかを示すように適合される。より多くの数のバイナリビットの使用は、値が元の値に戻ることを防止するのを助け、したがって、受信端が、いくつかのビーコンフレームを捕え損なって、警報ステータス指示フィールドの値は変更されていないということを見出し、かくして、警報情報は更新されていないと見なす、という状況が回避される。ここで、２つの例を提供する。
【００８７】
例１：１つのバイナリビット（ＥＡＳＮビット、すなわち、図１０のｂ６）は、既存の技術におけるのと同様に、緊急警報が存在するかどうかを示すように適合される一方で、図１０に示すように、現在のビーコンフレーム内のインターワーキング要素の新たなバイトは、緊急警報が発生した後で（ＥＡＳＮビットは１に設定されている）、現在の緊急警報が更新されたかどうか、または新たな緊急警報が発生したかどうかを示すように適合される。新たなバイトは、緊急情報変更指示（Ｅｍｅｒｇｅｎｃｙ  ｉｎｆｏｒｍａｔｉｏｎ  Ｃｈａｎｇｅ  Ｉｎｄｉｃａｔｉｏｎ）（ＥＩＣＩ）バイトと呼ばれると仮定する。ＥＡＳＮビットが０に設定されている場合、ＥＩＣＩバイトは存在しない。ＥＡＳＮビットが１に設定されている場合、ＥＩＣＩバイトが存在し、ＥＩＣＩバイトの値は、緊急警報情報によって異なる。例えば、緊急警報が存在しない場合、ＥＡＳＮビットは０に設定され、ビーコンフレーム内のインターワーキング要素はＥＩＣＩバイトを含まない。第１の緊急警報が発生した場合、ＥＡＳＮビットは１に設定され、ＥＩＣＩバイトが現れ、そして、ＥＩＣＩバイトの値は１に設定される。第２の緊急警報が発生した場合、または第１の緊急警報に関する情報が更新された場合、ＥＡＳＮビットの値１は変更されず、しかし、緊急警報の変更を非ＡＰ  ＳＴＡに適時に知らせるために、ＥＩＣＩバイトの値は２に設定され、その結果、非ＡＰ  ＳＴＡは、最新の緊急警報情報を取得する。さらなる緊急警報が発生した場合、緊急警報の変更を非ＡＰ  ＳＴＡに適時に知らせるために、ＥＩＣＩバイトの値は再度変更される。第１の警報が解除され、しかし、第２の警報はアクティブである場合、ＥＡＳＮビットの値１は変更されず、そして、現在の緊急警報情報の更新（すなわち、緊急警報が解除された）を非ＡＰ  ＳＴＡに知らせるために、ＥＩＣＩバイトの値は３に変更され、その結果、非ＡＰ  ＳＴＡは、最新の緊急警報情報を取得する。第２の緊急警報が解除され、かつ、緊急警報は存在しない場合、ＥＡＳＮビットは０に設定され、ＥＩＣＩバイトは、ビーコンフレームのインターワーキング要素から除去される。別の緊急警報が発生した場合、ＥＡＳＮビットは再度１に設定され、ＥＩＣＩバイトが再度現れる。ＥＩＣＩバイトの値は、値１ではなく前回の値から開始される。この例では、ＥＩＣＩの値は、現在４であり、そして、５であってもよい。
【００８８】
以下の表は、この例における、ＥＡＳＮビットおよびＥＩＣＩフィールドの値の変更手順を示す。
【表１】
2010118043.tif 000003
【００８９】
例２：図１２を参照されたい。既存の技術におけるＥＡＳＮビット（図１０のｂ６）の定義が変更される。このビットの値は、現在のＷＬＡＮがＥＡＳをサポートするかどうかを示すように適合される。すなわち、現在のＥＡＳＮビットは、ＥＡＳＮ機能を示すビットとして定義される。さらに、例１における新たなＥＩＣＩバイトは、ＥＡＳバイトと呼ばれる。ＥＡＳＮ機能ビットの値が０に設定されている場合、それは、ＷＬＡＮがＥＡＳをサポートしないことを示す。この場合、ＥＡＳバイトは存在しない。ＥＡＳＮ機能ビットの値が１に設定されている場合、それは、ＷＬＡＮがＥＡＳをサポートすることを示す。この場合、ＥＡＳバイトが存在する。現在のＷＬＡＮがＥＡＳをサポートし、ＥＡＳバイトが存在する場合、ＥＡＳバイトの少なくとも１つのバイナリビットは、警報が存在するかどうかを示すように適合されてもよく、そして、ＥＡＳバイトの残りの少なくとも１つのバイナリビットの値の変更は、警報が存在する場合の、警報情報の変更を示すように適合されてもよい。例えば、ＥＡＳバイトの第１のバイナリビットは、緊急警報が現在のところ存在するかどうかを示すように適合されてもよい。値が０である場合、それは、警報が存在しないことを示す。値が１である場合、それは、警報が存在することを示す。警報が存在する場合、ＥＡＳバイトの残りの少なくとも１つのバイナリビットは、新たな緊急警報が発生したかどうか、または、アクティブな緊急警報に関する情報が更新されたかどうかを示すように適合される。
【００９０】
さらなる説明を容易にするために、ＥＡＳバイトの８つのビットは、左から右に、Ｂ０、Ｂ１、Ｂ２、Ｂ３、Ｂ４、Ｂ５、Ｂ６、およびＢ７として識別される。Ｂ０ビットは、緊急警報が現在のところ存在するかどうかを示すように適合されると仮定する。このビットは、ＥＡＳＮビットと呼ばれる。値が０に設定されている場合、それは、緊急警報が存在しないことを示す。値が１に設定されている場合、それは、緊急警報が存在することを示す。Ｂ０が１に設定されている場合、Ｂ１〜Ｂ７の値の変更は、新たな緊急警報が発生したかどうか、または、アクティブな緊急警報に関する情報が更新されたかどうかを示すように適合される。ビットＢ１〜Ｂ７は、ＥＩＣＩフィールドと呼ばれる。
【００９１】
緊急警報が存在しない場合、Ｂ０は０に設定され、ＥＡＳバイト内のＢ１〜Ｂ７の値は意味を有さない。第１の緊急警報が発生した場合、ＥＡＳバイト内のＢ０の値は１に設定され、Ｂ１〜Ｂ７の値は００００００１に設定される。第２の緊急警報が発生した場合、または第１の緊急警報に関する情報が更新された場合、Ｂ０の値１は変更されず、しかし、緊急警報の変更を非ＡＰ  ＳＴＡに適時に知らせるために、Ｂ１〜Ｂ７の値は００００００１に設定され、その結果、非ＡＰ  ＳＴＡは、最新の緊急警報情報を取得する。さらなる緊急警報が発生した場合、緊急警報の変更を非ＡＰ  ＳＴＡに適時に知らせるために、Ｂ１〜Ｂ７の値は再度変更される。第１の警報が解除され、しかし、第２の警報はアクティブである場合、Ｂ０の値１は変更されず、そして、現在の緊急警報情報の更新（すなわち、緊急警報が解除された）を非ＡＰ  ＳＴＡに知らせるために、Ｂ１〜Ｂ７の値は０００００１１に変更され、その結果、非ＡＰ  ＳＴＡは、最新の緊急警報情報を取得する。第２の緊急警報が解除され、かつ、新たな緊急警報は発生していない場合、緊急警報が解除されたことを非ＡＰ−ＳＴＡに知らせるために、Ｂ０は０に設定される。この場合、Ｂ１〜Ｂ７の値は意味を有さない。緊急警報が発生した場合、Ｂ０は再度１に設定される。この場合、Ｂ１〜Ｂ７の値は、００００００１ではなく前回の値から開始される。この例では、ＥＩＣＩフィールドの値は、００００１００に設定され、そして、００００１０１に設定されてもよい。
【００９２】
したがって、複数のバイナリビットを使用した、ＥＡＳのためのＡＰ  ＳＴＡおよび非ＡＰ  ＳＴＡの原理は、先の例に類似している。
【００９３】
上記は、本発明の一実施形態における、ＥＡＳを処理するための方法である。したがって、本発明の一実施形態では、ＡＰ  ＳＴＡ、非ＡＰ  ＳＴＡ、およびネットワークシステムが提供される。
【００９４】
図７は、本発明の一実施形態における、ＡＰ  ＳＴＡの構成を示す。
【００９５】
ＡＰ  ＳＴＡは、
緊急警報ステータスの変更に従って、ビーコンフレームのインターワーキング要素内の、少なくとも２つのバイナリビットを含む警報ステータス指示フィールドの値を設定するように適合された、処理ユニット（ｐｒｏｃｅｓｓｉｎｇ  ｕｎｉｔ）７０１と、
処理ユニット７０１によって設定されたビーコンフレームを送信するように適合された、送信ユニット（ｓｅｎｄｉｎｇ  ｕｎｉｔ）７０２とを含む。
【００９６】
処理ユニット７０１は、第１の判定ユニット（ｆｉｒｓｔ  ｊｕｄｇｉｎｇ  ｕｎｉｔ）７０１１と、第１の設定ユニット（ｆｉｒｓｔ  ｓｅｔｔｉｎｇ  ｕｎｉｔ）７０１２とを含む。
【００９７】
第１の判定ユニット７０１１は、緊急警報が更新されたかどうかを判定するように適合される。緊急警報の変更は、発生、更新、および解除を含む。
【００９８】
本発明の一実施形態では、インターワーキング要素内のＥＡＳＮフィールドは、２ビット（ｂ６およびｂ７）またはより多くのビットに拡張される（例えば、８ビットバイトが、ベニューグループフィールドの前に挿入される。そのバイトのいくつかのバイナリビットと、ｂ６およびｂ７とが、ＥＡＳＮフィールドの警報ステータス指示フィールドを形成する）。これらのビットの値は、警報が存在するかどうか、および、警報が存在する場合に、警報ステータスが変更されたかどうかを示すように適合される。警報ステータスの変更は、新たな緊急警報の発生と、警報内容の更新と、警報の解除とを含む。ビットの値０は、警報が存在しないことを示すように適合されてもよい。値１は、警報が存在することを示すように適合されてもよい。値が変更され、しかしその値は非０である場合、それは、新たな緊急警報が発生したこと、警報が解除されたこと、またはアクティブな警報の内容が更新されたことを示す。
【００９９】
第１の設定ユニット７０１２は、警報情報が変更されたことを第１の判定ユニット７０１１が判定した場合に、ＥＡＳＮの値を変更するように適合される。値の設定方法は、先の段落で説明した方法と同じである。
【０１００】
ＡＰ  ＳＴＡは、ビーコンフレーム内のインターワーキング要素の警報ステータス指示フィールドを、図１１に示すように、別の方法を使用することによって設定してもよい。
【０１０１】
図１１は、処理ユニット１１０１と、送信ユニット１１０２とを含む。
【０１０２】
処理ユニット１１０１は、第２の判定ユニット（ｓｅｃｏｎｄ  ｊｕｄｇｉｎｇ  ｕｎｉｔ）１１０１１と、第２の設定ユニット（ｓｅｃｏｎｄ  ｓｅｔｔｉｎｇ  ｕｎｉｔ）１１０１３と、第３の判定ユニット（ｔｈｉｒｄ  ｊｕｄｇｉｎｇ  ｕｎｉｔ）１１０１２と、第３の設定ユニット（ｔｈｉｒｄ  ｓｅｔｔｉｎｇ  ｕｎｉｔ）１１０１４とを含む。
第２の判定ユニット１１０１１は、警報が存在するかどうかを判定するように適合される。警報が存在しない場合、このユニットは、警報が存在しないことを示す。何らかの警報が存在する場合、このユニットは、警報が存在することを示す。
第２の設定ユニット１１０１３は、例えばｂ６などの、警報指示ビットを設定するように適合される。警報が存在する場合、このユニットは、ｂ６を１に設定する。警報が存在しない場合、このユニットは、ｂ６を０に設定する。
第３の判定ユニット１１０１２は、警報情報が変更されたかどうかを判定するように適合される。警報情報の変更は、新たな緊急警報の発生と、警報の解除と、警報内容の更新とを含む。警報情報の変更は、警報の数が変化したことは示さない。例えば、新たな警報が発生し、かつ、アクティブな警報が解除された場合、警報の数は変化していないが、警報情報は変更されている。すなわち、警報ステータスは変更されている。
第３の設定ユニット１１０１４は、例えばｂ７などの、警報ステータスの変更を示すビットの値を設定するように適合される。警報ステータスが変更された場合、ｂ７の値は、０と１との間で変更される。警報ステータスが連続して変更される場合、警報ステータスを示すバイナリビットが少数であるならば、値は急速に元の値に戻る。受信端がいくつかのビーコンフレームを捕え損なった場合、受信端は、警報ステータスが変更されていないと見なす。したがって、より多くのバイナリビットが、警報ステータスの変更を示すように適合されることと、それらのバイナリビットが、単調に増加して、オーバフロー時に最小値に戻るなどの、特定のサイクルで変更されることとが、本発明では推奨される。この場合、少数のステータス変更の後で値が繰り返されることはない。
【０１０３】
図８は、本発明の一実施形態における、非ＡＰ  ＳＴＡの構成を示す。
【０１０４】
非ＡＰ  ＳＴＡは、受信ユニット（ｒｅｃｅｉｖｉｎｇ  ｕｎｉｔ）８０１と、処理ユニット（ｐｒｏｃｅｓｓｉｎｇ  ｕｎｉｔ）８０２とを含む。
受信ユニット８０１は、インターワーキング要素を含むビーコンフレームを受信するように適合される。インターワーキング要素は、警報ステータス指示フィールドを含み、警報ステータス指示フィールドの値は、緊急警報ステータスを識別するように適合される。警報ステータス指示フィールドは、少なくとも２つのバイナリビットを含む。
処理ユニット８０２は、受信ユニット８０１によって受信されたビーコンフレーム内の、警報ステータス指示フィールドの値を取得し、そして、フィールドの値に従って、ユーザに通知を送信するように適合される。
【０１０５】
処理ユニット８０２は、取得ユニット（ｏｂｔａｉｎｉｎｇ  ｕｎｉｔ）８０２１と、判定処理ユニット（ｊｕｄｇｉｎｇ  ｐｒｏｃｅｓｓｉｎｇ  ｕｎｉｔ）８０２２とを含む。
取得ユニット８０２１は、受信ユニット８０１によって受信されたビーコンフレーム内の、警報ステータス指示フィールドの値を取得するように適合される。
判定処理ユニット８０２２は、取得ユニット８０２１によって取得された、ビーコンフレームのインターワーキング要素内の警報ステータス指示フィールドの値が、緊急警報の変更を識別することを判定した場合に、ＡＰ  ＳＴＡから緊急警報情報を取得し、ユーザに情報を提供するように適合される。ステータスが変更されていない場合、処理は行われない。警報ステータス指示フィールドの値が、警報が存在しないことを示す場合、判定処理ユニット８０２２は、先に受信した警報を削除し、そして、警報は現在のところ存在しないことをユーザに知らせてもよい。
【０１０６】
図９は、本発明の一実施形態における、ネットワークシステムの構成を示す。
【０１０７】
図９に示すように、ネットワークシステムは、ＡＰ  ＳＴＡ９０１と、非ＡＰ  ＳＴＡ９０２とを含む。
【０１０８】
ＡＰ  ＳＴＡ９０１は、緊急警報情報が変更された場合に、ビーコンフレームのインターワーキング要素内の警報ステータス指示フィールドを、新たな値に設定し、そして、設定されたビーコンフレームを送信するように構成される。警報ステータス指示フィールドは、少なくとも２つのバイナリビットを含む。
【０１０９】
非ＡＰ  ＳＴＡ９０２は、ＡＰ  ＳＴＡ９０１によって送信されたビーコンフレームを受信し、ビーコンフレーム内の警報ステータス指示フィールドの値を取得し、そして、取得された値に従って、更新された警報情報を取得するか、または、何も処理を実行しないように適合される。
【０１１０】
ＡＰ  ＳＴＡ９０１は、図７に示す構成を有する。非ＡＰ  ＳＴＡ９０２は、図８に示す構成を有する。
【０１１１】
前述の警報ステータス情報は、例えば、ビーコンフレームのインターワーキング要素内のＥＡＳＮフィールドなどの、フィールドを定期的に送信するプロセスを必要とする。これは、警報ステータス情報を通知する実装方法の一例である。本発明は、定期的な情報フレームを介して警報ステータス情報を通知する任意の形態を包含する。
【０１１２】
要するに、本発明においては、少なくとも２つのバイナリビットの警報ステータス指示フィールドが、警報ステータス指示フィールドの値の変更を介して、緊急警報ステータスの変更を指示するように適合され、したがって、変更された緊急警報の適時の通知と処理とが実装される。
【０１１３】
本発明の前述の実施形態において、警報サービス処理の方法、装置、およびネットワークシステムが提供された。いくつかの例が、本発明の原理および実装方法の説明のために適合された。それらの例の説明は、本発明の一実施形態における方法とその中心原理とを説明するのを助けるように適合された。当業者は、本発明に対するさまざまな修正および変形を、本発明の精神および範囲を逸脱することなく行うことが可能である。本発明は、それらの修正および変形を、それらが本発明によって規定される保護範囲内に入るならば、包含することを意図するものである。警報サービス処理の方法、装置、およびネットワークシステムが、本発明の実施形態において提供された。方法は、
警報ステータスが変更された後で、ビーコンフレーム内の少なくとも２つのバイナリビットを含む警報ステータス指示フィールドの値を変更して、変更された警報ステータス指示フィールドを有するビーコンフレームを送信することと、
（警報ステータスの変更を示し、かつ、少なくとも２つのバイナリビットを含む）警報ステータス指示フィールドを含む、ビーコンフレームを受信して、ビーコンフレーム内の警報ステータス指示フィールドの値を取得し、そして、警報ステータス指示フィールドの値に従って、警報情報を取得するか、または、何も処理を実行しないこととを含む。
【０１１４】
関連する装置およびネットワークシステムが、本発明の実施形態において提供された。本発明の一実施形態における技術手法は、緊急警報イベントの任意の変更に対する適時の処理を実装する。
【図１】
2010118043.tif 000004
【図２】
2010118043.tif 000005
【図３】
2010118043.tif 000006
【図４】
2010118043.tif 000007
【図５Ａ】
2010118043.tif 000008
【図５Ｂ】
2010118043.tif 000009
【図６】
2010118043.tif 000010
【図７】
2010118043.tif 000011
【図８】
2010118043.tif 000012
【図９】
2010118043.tif 000013
【図１０】
2010118043.tif 000014
【図１１】
2010118043.tif 000015
【図１２】
2010118043.tif 000016
【外国語明細書】
2010118043000001.pdf